【事件の表示】
　平成　８年特許願第　２９３７７号「光ディスク装置」拒絶査定不服審判事件〔平成　９年　８月２６日出願公開、特開平　９−２２３３１７〕について、次のとおり審決する。
【結　論】
　本件審判の請求は、成り立たない。
【理　由】
Ｉ．手続の経緯
　本件審判の請求にかかる特許願（以下、「本願」という）は、平成８年２月１６日に出願されたものであって、平成１５年８月８日付けで拒絶すべきものである旨の査定がなされ、平成１５年９月１０日付けで特許法第１２１条第１項の審判が請求され、平成１５年１０月８日付けで手続補正書（以下、「本件補正」ともいう）が提出されたものである。
　
　
II．平成１５年１０月８日付け手続補正についての補正却下の決定
　
　〔補正却下の決定の結論〕
　平成１５年１０月８日付けの手続補正を却下する。
　
　〔理由〕
 １．本件補正について補正の内容
　本件補正による補正内容（以下、「本補正」という）は、特許請求の範囲において、請求項数を２から１にするとともに、【請求項１】においては、キャリッジへの搭載物である対物レンズアクチュエータの構成に関して「
回転駆動される
に
する
及びアクチュエータ駆動部から供給される制御電流により前記対物レンズを変位させて前記ディスクへの光スポットの投射位置を制御する対物レンズ
　制御信号発生部に関して「
前記ステッピングモータの駆動によって前記光ピックアップが前記ディスクの径方向に変位移動するシーク期間内に、前記ステッピングモータを駆動する
発生する
　制御手法に関して「
前記第１の距離算出部の算出結果と前記第２の距離算出部の算出結果とを比較してそれらの差を表す誤差信号を前記アクチュエータ駆動部に供給する比較部とを具備し、前記アクチュエータ駆動部は、前記対物レンズアクチュエータに供給する制御電流を調整して前記比較部から出力される誤差信号をゼロにするように制御する
　さらに、発明の詳細な説明においては、上記特許請求の範囲の補正に対応しての補正等をするものである。　
　
 ２．補正の目的
　本補正は、特許請求の範囲おいて、光スポットを投射する対物レンズを変位させる対物レンズアクチュエータの構成を、また、ステッピングモータの駆動によって光ピックアップをディスクの径方向へ変位移動する際のパルス制御信号を供給する制御信号発生部の構成を、及び、第１の距離算出部の計算結果と第２の距離算出部との計算結果とが等しくなるようにアクチュエータを調整する制御手段を、各々具体的に限定するものである。
　要するに、この補正は、特許請求の範囲を減縮するものであるから、特許法第１７条の２第４項第２号の規定を満たすものと認める。
　
 ３．独立特許要件
　次に、本補正が特許出願の際独立して特許を受けることができるものであるかについて検討する。
  １）補正後の発明
　補正後の本願請求項に係る発明は、その特許請求の範囲に記載されたとおりのものであるところ、その【請求項１】に記載された発明は以下のとおりのものである。
　「【請求項１】　
回転駆動される
に
する
及びアクチュエータ駆動部から供給される制御電流により前記対物レンズを変位させて前記ディスクへの光スポットの投射位置を制御する対物レンズ
ており、
駆動に
する
前記ステッピングモータの駆動によって前記光ピックアップが前記ディスクの径方向に変位移動するシーク期間内に、前記ステッピングモータを駆動する
発生する
、
及び
に形成されている
前記第１の距離算出部の算出結果と前記第２の距離算出部の算出結果とを比較してそれらの差を表す誤差信号を前記アクチュエータ駆動部に供給する比較部とを具備し、前記アクチュエータ駆動部は、前記対物レンズアクチュエータに供給する制御電流を調整して前記比較部から出力される誤差信号をゼロにするように制御する
　
　２）刊行物について
　これに対して、原査定の拒絶の理由で引用された刊行物である、特開平８−３０９８４号公報（以下、「刊行物」という）には、光ピックアップのシーク終了時のトラックサーボ引き込みを、自由振動を発生することなく確実且つ迅速に行う光ディスク装置の提供を目的とするもので、以下の記載がある。（なお、下線は当審で付与した。）
 　（１）“【０００２】【従来の技術】従来、光ディスク装置においては、シーク中の対物レンズの振動を低減することにより、アクセスに要する時間を短縮するようになされている。”
　“【００１６】本発明は以上の点を考慮してなされたもので、位置検出センサー等の対物レンズ位置検出機構を省略して、短い時間で所望の記録トラックにアクセスすることができる光ディスク装置を提案しようとするものである。
　“【００１９】【作用】・・・ほぼ可動中心に対物レンズ６を保持するように対物レンズ可動機構１６を駆動して、高速度でシークしてシーク直後から速やかにジャストトラッキングの状態を形成することができる。”
　 （２）“【０００３】すなわち図４に示すように、この種の
光ディスク装置１は、スピンドルモータ２によって光ディスク３を所定の回転速度で回転駆動し、この光ディスク３に対して光ピックアップ４からレーザービーム５を照射する
　【０００４】このため光ピックアップ４は、レーザーダイオードから出射されたレーザービーム５を
対物レンズ６で光ディスク３の情報記録面に集光し
　 （３）“【０００５】ここでこの
対物レンズ６は、
２軸アクチュエータによって上下左右に可動できるように保持され、光ディスク装置１は、フォーカスエラー信号及びトラッキングエラー信号に基づいてこの２軸アクチュエータを駆動してトラッキング制御及びフォーカス制御する。
　【０００６】さらにこの光ピックアップ４は、リニアアクチュエータでなるスレッドモータを駆動することにより、矢印Ａで示すように、ガイド棒８に沿って光ディスク３の半径方向に移動するように保持され、さらに位置センサーによってこの移動の際の移動量（この位置検出結果を所定の信号処理回路で処理して速度情報を得るともできる）が検出されるようになされている。これにより光ディスク装置１では、この位置検出結果に基づいてスレッドモータを駆動して、光ピックアップ４を所望の記録トラックにシークさせるようになされている。”
　 （４）“ 【００１３】すなわち現在トラックａから目標トラックｂに光ピックアップ４をシークさせる場合について、図５（Ａ）に光ピックアップ４の位置の変化を示すように、この種の光ディスク装置１は、光ピックアップ４を加速した後、目標トラックｂに近づくと減速し、これにより速やかに目標トラックｂに整定するようにスレッドモータを駆動する。このとき光ピックアップ４に搭載した対物レンズ６は、何ら２軸アクチュエータを駆動することなく自由振動させると（すなわち、位置検出センサーから減算回路１３を経て駆動回路１５に至ループが形成されていない場合）、光ピックアップ４全体が始めに加速されることにより、中点から大きく変位した状態で細かく振動し、後半で光ピックアップ４が減速されると、今度は逆方向に大きく変位した状態で細かく振動し、結局、光ピックアップ４の移動が完了しても、継続して振動することになる（図５（Ｂ））。
　【００１４】これでは、シーク後、トラッキング制御を開始しても、速やかにトラッキングサーボで引き込み動作することが困難になり、結局ジャストトラッキングの状態を形成するまでに時間を要する結果になる。これに対して２軸アクチュエータを制御して対物レンズを中点位置に保持すれば、シーク直後、短時間でジャストトラッキングの状態を形成することができ、これにより光ディスク装置１においては、アクセス時間を短縮するようになされている。”
　 （５）“【００１７】【課題を解決するための手段】かかる課題を解決するため本発明においては、光源から射出された光ビームをディスク状記録媒体２１に集光してディスク状記録媒体２１に所望のデータを記録し、又は光源から射出された光ビームをディスク状記録媒体２１に集光してディスク状記録媒体２１に記録したデータを再生する光ディスク装置２０において、光ビームをディスク状記録媒体２１に集光すると共に、ディスク状記録媒体２１から得られる戻り光を集光する対物レンズ６と、対物レンズ６で集光した戻り光を受光する受光素子２２と、所定の駆動信号に応じて対物レンズ６を可動する対物レンズ可動機構１６と、対物レンズ可動機構１６をディスク状記録媒体２１の半径方向に可動させるシーク機構１２と、ディスク状記録媒体２１の半径方向について、対物レンズ可動機構１６の位置、又は可動速度を検出して第１の検出信号Ｓ１を出力する対物レンズ可動機構１６の位置検出手段と、第１の検出信号Ｓ１に基づいて、駆動信号を出力してシーク機構１２を駆動するシーク機構駆動手段９、１０、１１と、受光素子２２の検出信号に基づいて、ディスク状記録媒体２１の半径方向について、対物レンズ６の位置、又は可動速度を検出して第２の検出信号Ｓ５を出力する対物レンズ６の位置検出手段２３、２５、２６、２７と、第１及び第２の検出信号Ｓ１及びＳ５に基づいて、対物レンズ可動機構１６に対する対物レンズ６の位置、又は変位速度（Ｓ６）を検出し、該検出結果（Ｓ６）に基づいて、対物レンズ可動機構１６がディスク状記録媒体２１の半径方向に可動する際、対物レンズ可動機構１６による対物レンズ６のほぼ可動中心に対物レンズ６を保持するように、対物レンズ可動機構１６を駆動する対物レンズ可動機構１６の駆動手段１５、２９、３０とを具えるようにする。”
   （６）“【００２６】これにより光ディスク装置２０は、このフォーカスエラー信号ＦＥ及びトラッキングエラー信号ＴＥに基づいて、対物レンズ６を保持する２軸アクチュエータを駆動して、トラッキング制御及びフォーカス制御するようになされ、また再生信号ＭＯについては、所定の信号処理回路で２値化処理した後、復号回路にて復号し、これにより光ディスク２１に記録したデータを再生するようになされている。
　【００２７】さらに
光ディスク装置２０は、光ピックアップ２２の位置センサーによって検出される位置検出信号Ｓ１について、減算回路９において、目標値信号Ｓ２との間で誤差信号を検出し、位相補償回路１０及び駆動回路１１を順次介して、この誤差信号でスレッドモータのボイスコイルモータ１２を駆動し、これにより目標値信号Ｓ２で決まるプロファイルで光ピックアップ２２を目標トラックにシークさせ
　【００２８】このようにして光ピックアップ２２をシークさせると、トラッキングエラー信号の信号レベル及び戻り光の全光量においては、レーザービームが記録トラックを横切る毎に大きく変動する。このとき戻り光は、ジャストトラッキングのタイミングで最も光量が増大することにより、図２に示すように、光量検出信号ＰＩ（図２（Ｂ））は、ジャストトラッキングのタイミングで信号レベルが最も大きくなり、トラッキングエラー信号ＴＥは、光ピックアップ４の移動方向に応じて、このジャストトラッキングのタイミングで信号レベルが０レベルを横切って立ち下がり、または立ち上がることになる（図２（Ａ））。
　【００２９】従って
光ディスク装置２０において、光量検出信号ＰＩ又はトラッキングエラー信号ＴＥの信号レベルの変化を検出することにより、光ディスク２１上におけるレーザービーム照射位置の移動速度、位置変化を検出することができ、また光量検出信号ＰＩ及びトラッキングエラー信号ＴＥの位相関係を検出してレーザービーム照射位置の移動方向を検出することができる。
　【００３０】ここでレーザービーム照射位置の変位は、光ピックアップ２２の移動と、対物レンズ６の変位とによって発生することにより、このようにして検出されるレーザービーム照射位置の変位から、光ピックアップ２２の移動による変位分を減算すれば、対物レンズ６の変位による成分だけを検出することができる。従ってこの対物レンズ６の変位による成分が０レベルになるように、２軸アクチュエータのボイスコイルモータ１６を駆動すれば、対物レンズ６を一定位置に保持することができる。”
　 （７）“【００３７】位相補償回路３０は、この減算回路２９から出力される減算信号Ｓ６を位相補償して出力し、駆動回路１５は、この位相補償回路３０の出力信号に基づいて、２軸アクチュエータのボイスコイルモータ１６を駆動する。これにより光ディスク装置２０では、減算信号Ｓ６の信号レベルを０レベルに保持するように、２軸アクチュエータを駆動し、対物レンズ６を可動範囲の中点位置に保持するようになされている。かくしてこのようにしてシークが完了すると、光ディスク装置２０においては、減算信号Ｓ６に代えてトラッキングエラー信号ＴＥに基づいてサーボループを形成し、２軸アクチュエータを駆動することになる。”
　 （８）“【００４０】これに対して
シーク時、光ディスク装置２０は、光ピックアップ２２に搭載された速度センサーによって光ピックアップ２２の位置が検出され、その位置検出信号Ｓ１が減算回路９において目標値信号Ｓ２との間で減算される。これにより、この減算結果でなる誤差信号が０レベルになるように、スレッドモータのボイスコイルモータ１２が駆動され、目標値信号Ｓ２によって決まるプロファイルで光ピックアップ２２が移動する。
　【００４１】
この移動の際、トラッキングエラー信号ＴＥ及び光量検出信号ＰＩは、処理回路２５において２値化処理された後、アップダウンカウンタ２６でアップカウント又はダウンカウントされ、これによりレーザービーム照射位置の変位量に応じて正又は負に値が変化するカウント値が検出される。このカウント値は、ディジタルアナログ変換回路２７にてアナログ信号に変換された後、減算回路２９で位置検出信号Ｓ１の成分が減算され、これにより光ピックアップ２２上における対物レンズ６の変位に応じて信号レベルが変化する減算信号Ｓ６が検出される。
　【００４２】
これにより光ディスク装置２０は、シーク時、トラッキングエラー信号ＴＥに代えてこの減算信号Ｓ６が０レベルになるように、２軸アクチュエータのボイスコイルモータ１６が駆動され、対物レンズ６が、可動範囲の中心に保持され、シーク直後、速やかにジャストトラッキングの状態を形成することができる。
　
　以上の記載を、図面を参照して整理すると、要するに、刊行物には、以下の発明が記載されているものと認める。
　「スピンドルモータによって光ディスクを所定の回転速度で回転駆動し、前記光ディスクの情報記録面に対して光ピックアップからレーザービームを対物レンズで集光照射し、
　対物レンズは、２軸アクチュエータによって上下左右に可動できるように保持され、フォーカスエラー信号及びトラッキングエラー信号に基づいてこの２軸アクチュエータを駆動してトラッキング制御及びフォーカス制御し、
　光ピックアップの位置センサーによって検出される位置検出信号Ｓ１については、減算回路において、目標値信号Ｓ２との間で誤差信号を検出し、位相補償回路及び駆動回路を順次介して、この誤差信号でスレッドモータのボイスコイルモータを駆動し、目標値信号Ｓ２で決まるプロファイルで前記光ピックアップを目標トラックにシークさせ、 　
　光量検出信号ＰＩ又はトラッキングエラー信号ＴＥの信号レベルの変化を検出することにより、光ディスク上におけるレーザービーム照射位置の（移動速度）、位置変化を検出することができ、また光量検出信号ＰＩ及びトラッキングエラー信号ＴＥの位相関係を検出してレーザービーム照射位置の移動方向を検出し、
　シーク時、光ピックアップに搭載された速度センサーによって光ピックアップの位置が検出され、その位置検出信号Ｓ１が減算回路において目標値信号Ｓ２との間で減算され、この減算結果でなる誤差信号が０レベルになるように、スレッドモータのボイスコイルモータ駆動され、目標値信号Ｓ２によって決まるプロファイルで光ピックアップが移動し、
　この移動の際、トラッキングエラー信号ＴＥ及び光量検出信号ＰＩは、処理回路において２値化処理された後、アップダウンカウンタでアップカウント又はダウンカウントされ、これによりレーザービーム照射位置の変位量に応じて正又は負に値が変化するカウント値が検出され、前記カウント値は、ディジタルアナログ変換回路にてアナログ信号に変換された後、減算回路で位置検出信号Ｓ１の成分が減算され、これにより光ピックアップ上における対物レンズ６の変位に応じて信号レベルが変化する減算信号Ｓ６が検出され、
　シーク時、トラッキングエラー信号ＴＥに代えてこの減算信号Ｓ６が０レベルになるように、２軸アクチュエータのボイスコイルモータが駆動され、対物レンズが、可動範囲の中心に保持され、シーク直後、速やかにジャストトラッキングの状態を形成する光ディスク装置。」（以下、「刊行物発明」という）
　
　３）対比・判断
 　（１）対比
　刊行物発明における“スピンドルモータによって光ディスクを所定の回転速度で回転駆動し、光ディスクの情報記録面に対して光ピックアップからレーザービームを対物レンズで集光照射し”は、補正後発明における「回転駆動されるディスクに光スポットを投射する対物レンズ」に相当する。
　また、刊行物発明における“対物レンズは、２軸アクチュエータによって上下左右に可動できるように保持され、フォーカスエラー信号及びトラッキングエラー信号に基づいてこの２軸アクチュエータを駆動してトラッキング制御及びフォーカス制御し”は、補正後発明における「アクチュエータ駆動部から供給される制御電流により前記対物レンズを変位させて前記ディスクへの光スポットの投射位置を制御する対物レンズアクチュエータ」に相当する。
　また、刊行物発明においての“光ピックアップの位置センサーによって検出される位置検出信号Ｓ１について、減算回路においては、目標値信号Ｓ２との間で誤差信号を検出し、位相補償回路及び駆動回路を順次介して、この誤差信号でスレッドモータのボイスコイルモータを駆動し、目標値信号Ｓ２で決まるプロファイルで光ピックアップを目標トラックにシークさせ”は、モータを目標トラックにシークさせていく以上、駆動する信号発生部を伴うことは自明であるから、これは補正後発明における「モータを含む送り機構の駆動によって前記ディスクの径方向に変位移動する光ピックアップと、前記モータの駆動によって前記光ピックアップが前記ディスクの径方向に変位移動するシーク期間内に、前記モータを駆動する信号を発生する制御信号発生部と、」に相当する。
　また、刊行物発明においての“光ピックアップの位置センサーによって検出される位置検出信号Ｓ１”は、光ピックアップの変位距離であり、「位置検出信号Ｓ１」が、本願発明の「第１の距離算出部の算出結果」に相当する。
　また、刊行物発明における“光量検出信号ＰＩ又はトラッキングエラー信号ＴＥの信号レベルの変化を検出することにより、光ディスク上におけるレーザービーム照射位置の（移動速度、）位置変化を検出することができ”は、トラッキングエラー信号は光スポットのトラック横断であるから、これにより位置変化を検出するものであるから、これは補正後発明においての「光スポットが前記ディスクに形成されているトラックを横切る回数に基づいて前記光スポットの前記ディスクの径方向への移動距離を算出する第２の距離算出部」に相当する。
　また、刊行物発明の“光ピックアップに搭載された速度センサーによって光ピックアップの位置が検出され、その位置検出信号Ｓ１が減算回路において目標値信号Ｓ２との間で減算され、この減算結果でなる誤差信号が０レベルになるように、スレッドモータのボイスコイルモータ駆動され、目標値信号Ｓ２によって決まるプロファイルで光ピックアップが移動、
　この移動の際、トラッキングエラー信号ＴＥ及び光量検出信号ＰＩは、処理回路において２値化処理された後、アップダウンカウンタでアップカウント又はダウンカウントされ、これによりレーザービーム照射位置の変位量に応じて正又は負に値が変化するカウント値が検出され、カウント値は、ディジタルアナログ変換回路にてアナログ信号に変換された後、減算回路で位置検出信号Ｓ１の成分が減算され、これにより光ピックアップ上における対物レンズ６の変位に応じて信号レベルが変化する減算信号Ｓ６が検出され、
　シーク時、トラッキングエラー信号ＴＥに代えてこの減算信号Ｓ６が０レベルになるように、２軸アクチュエータのボイスコイルモータが駆動され”は、光ピックアップの位置検出手段は、光ピックアップの位置を検出して、これをシークする目標位置に移動させるとともに、ピックアップの移動に伴っての対物レンズ位置を追随して０レベルにしていく手段であって、【図１】を参照していくと、誤差信号をアクチュエータ駆動部に供給する比較部は減算回路２９である。そして、この信号レベルが０となるよう構成しているものであるから、実質的に、ここには補正後発明の「第１の距離算出部の算出結果と前記第２の距離算出部の算出結果とを比較してそれらの差を表す誤差信号を前記アクチュエータ駆動部に供給する比較部とを具備し、前記アクチュエータ駆動部は、前記対物レンズアクチュエータに供給する制御電流を調整して前記比較部から出力される誤差信号をゼロにするように制御すること」の記載がある。
　結局、補正後発明と刊行物発明との［一致点］と［相違点］は以下のようになる。
　
　［一致点］
　「回転駆動されるディスクに光スポットを投射する対物レンズ及びアクチュエータ駆動部から供給される制御電流により前記対物レンズを変位させて前記ディスクへの光スポットの投射位置を制御する対物レンズアクチュエータを搭載しており、モータを含む送り機構の駆動によって前記ディスクの径方向に変位移動する光ピックアップと、前記モータの駆動によって前記光ピックアップが前記ディスクの径方向に変位移動するシーク期間内に、前記モータを駆動する信号を発生する制御信号発生部と、変位距離を算出する第１の距離算出及び前記光スポットが前記ディスクに形成されているトラックを横切る回数に基づいて前記光スポットの前記ディスクの径方向への移動距離を算出する第２の距離算出部と、前記第１の距離算出の算出結果と前記第２の距離算出部の算出結果とを比較してそれらの差を表す誤差信号を前記アクチュエータ駆動部に供給する比較部とを具備し、前記アクチュエータ駆動部は、前記対物レンズアクチュエータに供給する制御電流を調整して前記比較部から出力される誤差信号をゼロにするように制御することを特徴とする光ディスク装置。」
　
　［相違点］
　イ．ディスクの経方向に移動するものであるが、補正後発明のものは、「対物レンズアクチュエータを搭載したキャリッジ」であり、「当該キャリッジを保持して光ピックアップ」があるのに対して、刊行物発明のものは“光ピックアップ”の記載はあるものの、キャリッジと特段構成の区別をした記載が明確にない点。
　ロ．光ピックアップを径方向へ移動する送りモータ機構について、補正後発明のものは、「ステッピングモータの駆動」であって「ステッピングモータを駆動するパルス制御信号を発生する制御信号発生部と」を持つものであるが、刊行物発明のものはスレッドモータのボイスコイルモータとその制御信号発生部を伴うものであって、駆動モータの構成が相違する点。
　ハ．キャリッジの変位距離の算出であるが、補正後発明のものは、ステッピングモータを駆動するパルス制御信号を発生する制御信号発生部からの、「前記制御信号発生部が発生するパルス制御信号に基づいて前記キャリッジの変位距離を算出する第１の距離算出部」というものであるが、刊行物発明のものは、光ピックアップの位置センサーによって検出される位置検出信号に基づいて算出されるというものである点。
　
 　（２）判断
　上記イ．の点であるが、通常光ピックアップを含んで可動部を形成して移動するのがキャリッジであって、補正後発明は逆の構成である点で必ずしも明確でないが、本願の【発明の実施の形態】【００２４】【００３２】等には「光ピックアップ（キャリッジ）」と記載されているように、一体構成で移動していくものであれば、特に区別していることに技術的意味はない。そして、刊行物発明のものも対物レンズ及びアクチュエータ駆動部を搭載している光ピックアップであるのだから、上記イ．の構成は自明ないし周知のものである。
　上記ロ．ハ．の各点であるが、光ピックアップを径方向に移動させていく駆動手段として、パルス制御信号を発生する制御信号発生部を有するステッピングモータの採用、及びステッピングモータの制御量、要するにパルスの数をみて光ピックアップの移動量や位置を検出していくことは、先拒絶査定書で提示したように当該技術分野での周知技術であるのだから（請求人も、この点は請求の理由で認めている：５第１６行〜１９行目）、刊行物発明のものにおいても上記ロ．のモータ構成とすること、さらにはキャリッジ（光ピックアップ）の変位距離（移動距離）の算出を、上記ハ．の手法に置換構成することは、当業者が適宜容易に想到できるものである。このことにより特段の工夫なり困難性をともなうものではない。
　
　結局、補正後発明は、刊行物に記載された発明及び周知事項に基づいて当業者が容易に発明をすることができたものと認められるから、特許法第２９条第２項の規定により、特許出願の際独立して特許を受けることがでないものである。
　
　４．補正についてのむすび
　以上のとおりであるから、本件補正は、平成１５年改正前特許法第１７条の２第５項において準用する同法第１２６条第４項の規定に違反するので、特許法第１５９条第１項の規定において読み替えて準用する同法第５３条第１項の規定により却下すべきものである。
　
　
III．本願発明
 １．本願発明
　平成１５年１０月８日付けの手続補正は、上記のとおり却下されたので、本願請求項に係る各発明は、平成１５年４月２４日付け手続補正で補正された特許請求の範囲に記載されたとおりのものと認められるところ、その【請求項１】の記載は、以下のとおりである。
　「【請求項１】　ディスク上に光スポットを投射し、光スポットの投射位置がアクチュエータの駆動によって変位調整される対物レンズと、前記対物レンズ及び前記アクチュエータを搭載したキャリッジと、前記キャリッジを保持し、ステッピングモータを含む送り機構によって前記ディスクの径方向に変位移動可能な光ピックアップと、前記送り機構にパルス制御信号を供給する制御信号発生部と、前記光ピックアップが前記ディスクの径方向へ変位移動するとき、前記制御信号発生部が発生するパルス制御信号に基づいて前記キャリッジの変位位置を算出する第１の距離算出部、及び、前記光スポットが前記ディスクのトラックを横切る回数に基づいて前記光スポットの前記ディスクの径方向への移動距離を算出する第２の距離算出部と、前記第１の距離算出部の算出結果と前記第２の距離算出部との算出結果とが等しくなるように前記アクチュエータを調整するアクチュエータ駆動部とを具備することを特徴とする光ディスク装置。」（以下、「本願発明」という）
　
 ２．刊行物
　これに対して、原査定で引用された刊行物及び記載された事項は、上記したとおりである（上記II．〔理由〕３．２）刊行物について　を参照）。
　
 ３．対比・判断
　１）対比
　本願発明と刊行物発明とを対比すると、大要、上記で判断した補正後発明にあった部分構成要素としての
「
回転駆動される
に
する
及びアクチュエータ駆動部から供給される制御電流により前記対物レンズを変位させて前記ディスクへの光スポットの投射位置を制御する対物レンズ
　を
「ディスク上に光スポットを投射し、光スポットの投射位置がアクチュエータの駆動によって変位調整される対物レンズと、前記対物レンズ及び前記アクチュエータを搭載したキャリッジ」
　と、
「
前記ステッピングモータの駆動によって前記光ピックアップが前記ディスクの径方向に変位移動するシーク期間内に、前記ステッピングモータを駆動するパルス信号を発生する制御信号発生部
　を
「前記光ピックアップが前記ディスクの径方向へ変位移動するとき」
　とする。また、
「
比較してそれらの差を表す誤差信号を前記アクチュエータ駆動部に供給する比較部とを具備し、前記アクチュエータ駆動部は、前記対物レンズアクチュエータに供給する制御電流を調整して前記比較部から出力される誤差信号
　要するに、両発明の［一致点］［相違点］は以下のようになる。
　
　［一致点］
　「ディスク上に光スポットを投射し、光スポットの投射位置がアクチュエータの駆動によって変位調整される対物レンズと、前記対物レンズ及び前記アクチュエータを搭載し、モータを含む送り機構によって前記ディスクの径方向に変位移動可能な光ピックアップと、前記送り機構に制御信号を供給する制御信号発生部と、前記光ピックアップが前記ディスクの径方向へ変位移動するとき、変位位置を算出する第１の距離算出部、及び、前記光スポットが前記ディスクのトラックを横切る回数に基づいて前記光スポットの前記ディスクの径方向への移動距離を算出する第２の距離算出部と、前記第１の距離算出部の算出結果と前記第２の距離算出部との算出結果とが等しくなるように前記アクチュエータを調整するアクチュエータ駆動部とを具備することを特徴とする光ディスク装置。」
　
　［相違点］
　ａ．ディスクの経方向に移動するものであるが、本願発明のものは、「対物レンズ及びアクチュエータを搭載したキャリッジ」であり、「当該キャリッジを保持して光ピックアップ」があるのに対して、刊行物発明のものは“光ピックアップ”の記載はあるものの、キャリッジと特段構成の区別をした記載が明確にない点。
　ｂ．光ピックアップを径方向へ移動する送りモータ機構について、本願発明のものは、「ステッピングモータの駆動」であって「ステッピングモータを駆動するパルス制御信号を発生する制御信号発生部と」をもつものであるが、刊行物発明のものはスレッドモータのボイスコイルモータとその制御信号発生部を伴うものであって、駆動モータの構成が相違する点。
　ｃ．キャリッジの変位位置の算出であるが、本願発明のものは、ステッピングモータを駆動するパルス制御信号を発生する制御信号発生部からの、「前記制御信号発生部が発生するパルス制御信号に基づいて前記キャリッジの変位距離を算出する第１の距離算出部」というものであるが、刊行物発明のものは、光ピックアップの位置センサーによって検出される位置検出信号に基づいて算出されるというものである点。
　
　２）判断
　相違点ａ．〜ｃ．は、上記で判断したとおりである（上記II．〔理由〕３．３）（２）判断　を参照）。
　
　結局、本願発明は、刊行物に記載された発明及び周知事項に基づいて、当業者が容易に発明をすることができたものと認める。
　
 ４．むすび
　以上のとおりであるから、本願請求項１に記載された発明は、特許法２９条第２項の規定により特許を受けることができないとしてした原査定は妥当なものであり、その余の請求項について言及するまでもなく、拒絶をすべきものである。
　
　よって、結論のとおり審決する。